(57)【要約】【課題】イベントに応じて情報処理端末を操作する際の操作性を向上させることが可能な情報処理端末及びガイダンス表示プログラムを提供すること。【解決手段】イベントの発生を検知し、前記イベントに応じたガイダンス情報をガイダンス記憶部から索出し、前記ガイダンス情報に応じた待ち受け画像を生成し、前記待ち受け画像を表示して、待ち受け画像中にガイダンスを表示させ、前記ガイダンスに表示した操作を受け付けた場合に、前記イベントに応じた処理を実行する。【選択図】　　　　　図１
2004064526.tif 000002
【特許請求の範囲】
【請求項１】
イベントの発生を検知するイベント検知部と、
前記イベントと対応付けてガイダンス情報を記憶したガイダンス記憶部と、
前記イベントに応じたガイダンス情報をガイダンス記憶部から索出するガイダンス検索部と、
前記ガイダンス情報に応じた待ち受け画像を生成する画像生成部と、
前記待ち受け画像を表示する表示制御部と、
を備える情報処理端末。
【請求項２】
前記ガイダンスに表示した操作を受け付ける操作受付部と、
前記操作を受け付けた場合に、前記イベントに応じた処理を実行する処理実行部と、
を更に備える請求項１に記載の情報処理端末。
【請求項３】
前記ガイダンスを表示する場合に、操作キーに割り当てられた機能を変更する割当変更部を備え、
前記ガイダンス検索部が、前記機能を変更した後の操作キーの操作を示すガイダンス情報を索出する請求項１に記載の情報処理端末。
【請求項４】
前記ガイダンス情報が、前記イベントに応じて操作する操作キーの画像を含む請求項１に記載の情報処理端末。
【請求項５】
イベントの発生を検知するステップと、
前記イベントに応じたガイダンス情報をガイダンス記憶部から索出するステップと、
前記ガイダンス情報に応じた待ち受け画像を生成するステップと、
前記待ち受け画像を表示するステップと、
待ち受け画像中にガイダンスを表示させることをコンピュータにより実行可能なガイダンス表示プログラム。
【請求項６】
前記ガイダンスに表示した操作を受け付けるステップと、
前記操作を受け付けた場合に、前記イベントに応じた処理を実行するステップと、
をコンピュータにより実行可能な請求項５に記載のガイダンス表示プログラム。
【請求項７】
前記ガイダンスを表示する場合に、操作キーに割り当てられた機能を変更するステップを更に有し、
前記ガイダンス情報を索出するステップでは、前記機能を変更した後の操作キーの操作を示すガイダンス情報を索出することをコンピュータにより実行可能な請求項５に記載のガイダンス表示プログラム。
【請求項８】
前記ガイダンス情報が、前記イベントに応じて操作する操作キーの画像を含む請求項５に記載のコンピュータにより実行可能なガイダンス表示プログラム。
【発明の詳細な説明】
【０００１】
【発明の属する技術分野】
本発明は、情報処理装置の待ち受け画面（待機画面：壁紙、背景画像、スクリーンセーバ等）にキー操作等のガイダンスを表示する技術に関するものである。
【０００２】
本発明において、情報処理端末とは、携帯電話機、ＰＨＳ（ｐｅｒｓｏｎａｌ　ｈａｎｄｙ　ｐｈｏｎｅ　ｓｙｓｔｅｍ）、ＰＤＡ（ｐｅｒｓｏｎａｌ　ｄｉｇｉｔａｌａｓｓｉｓｔａｎｔ）、ＰＣ（ＰｅｒｓｏｎａｌＣｏｍｐｕｔｅｒ）等である。
【０００３】
【従来の技術】
現在、情報処理端末としては、携帯電話機やＰＤＡなど、種々の装置が利用されている。
【０００４】
これらの情報処理端末には、スケジュールの管理や、ウエブサイトの閲覧、通信（通話）など、多くの機能が搭載されている。これらの機能を利用する場合には、操作キーを操作して当該機能を選択することになる。
【０００５】
例えば携帯電話機であれば、電話番号を呼び出す機能、電子メールを送受信する機能、留守番電話を聞く機能などを実行する場合、各機能に割り当てられたキーを押すことや、各機能が選択肢として表示される選択メニューをメニュー用のキーで選択することによって行っていた。
【０００６】
携帯電話機やＰＤＡの場合、携帯可能な大きさにするために、このような各機能が割り当てられたキーや、メニュー用のキーを実装する数に限りがあった。
【０００７】
このため、各キーをなるべく小さくして多くのキーを配置したり、一つのキーに複数の機能を割り当てたりしていた。
【０００８】
特に近年の高機能化に伴い、このような傾向は顕著になってきている。
【０００９】
【発明が解決しようとする課題】
しかしながら、上述のように小さいキーを多数配置すると、各キーの機能を示す表示も、おのずと小さくなってしまうので、各キーが何の機能に対応しているのかが分かり難くなってしまう。特にこの場合、初心者や高齢者にとって扱い難くなってしまい、ユニバーサルデザインを推進する観点からも好ましくない。
【００１０】
また、一つのキーに複数の機能を割り当てた場合、そのキーを押したのちに、複数の機能うちのどれかを選択する操作が必要になり、操作が複雑化して分かり難くなってしまうという問題点があった。
【００１１】
また、携帯電話やＰＤＡ等、通信機能を有した情報処理端末では、待ち受け中（待機中）に電子メールを受信した場合、待ち受け画面に「メール有り」のように表示する機能を備えたものがある。
【００１２】
これによりユーザは、メールを受信したことを知ることができる。
【００１３】
しかし、このような表示だけでは、次にどの操作をすればこのメールを読めるのかが分からないといった問題点があった。
【００１４】
本発明は、このような従来の技術の問題点に鑑みてなされたものである。即ち、本発明の課題は、イベントに応じて情報処理端末を操作する際の操作性を向上させる技術を提供することにある。
【００１５】
【課題を解決するための手段】
本発明は前記課題を解決するために、以下の手段を採用した。
【００１６】
本発明の情報処理端末及びガイダンス表示プログラムは、
イベントの発生を検知し、
前記イベントに応じたガイダンス情報をガイダンス記憶部から索出し、
前記ガイダンス情報に応じた待ち受け画像を生成し、
前記待ち受け画像を表示して、
待ち受け画像中にガイダンスを表示させる。
【００１７】
これにより、待ち受け時にイベントが発生した場合、このイベントに応じて次にする操作を待ち受け画面に図示し、誰にでも分かり易く、直感的に操作できるようにして操作性を向上させている。
【００１８】
なお、本発明は、コンピュータに上記のガイダンス表示を行わせるガイダンス表示方法であっても良い。また、本発明は、上記のプログラムをコンピュータが読み取り可能に記録した記録媒体であっても良い。
【００１９】
【発明の実施の形態】
以下、本発明に係る情報処理装置の一形態として、本発明を携帯電話に適用した例を図１から図７の図面に基づいて説明する。
【００２０】
§１．全体構成
図１は本実施形態の携帯電話におけるガイダンスの表示例を示す図である。
【００２１】
携帯電話１は、待ち受け時にメールの受信や伝言、通話の呼び出し（着信）等のイベントが発生した場合、このイベントに応じた操作を示すガイダンス情報を索出し、このガイダンス情報に基づいて待ち受け画面にガイダンスを表示する。
【００２２】
本実施形態では、図１に示すように操作キーのデザインをそのまま待ち受け画面に表し、操作を図示することで、直感的な操作を可能としている。
【００２３】
§２．携帯電話の構成
次に本実施形態の携帯電話の構成について説明する。図２は、本発明に係る携帯電話１のブロック図である。
【００２４】
同図に示すように本形態の携帯電話１は、アンテナ３１、無線回路部３２、通信制御部３３、記憶部３４、キー操作部３６、音声コーデック３７、音声出力部（受話部）３８、音声入力部（送話部）３９、伝言制御部４０、メール制御部４１、表示部４２、演算処理部４３等を備えている。
【００２５】
アンテナ３１は、無線基地局（図示せず）と通信を行う際の電波の送受信に使用される。無線回路部３２は、アンテナ３１で受信した電波の復調を行って受信データを生成すると共に、送信データを所定の周波数へ変調してアンテナ３１を介して変調信号を出力する。
【００２６】
通信制御部３３は、無線回路部３２で生成された復調信号を復号化するとともに、符号化した送信データを無線回路部３２へ出力して通信を行わせる等の制御を行う。
【００２７】
記憶部３４は、フラッシュメモリやＳＲＡＭ（Ｓｔａｔｉｃ　ＲａｎｄｏｍＡｃｃｅｓｓ　Ｍｅｍｏｒｙ）、ＮＶＲＡＭ（Ｎｏｎｖｏｌａｔｉｌｅ　Ｒａｎｄｏｍ　Ａｃｃｅｓｓ　Ｍｅｍｏｒｙ）等から構成され、電話番号データや、送受信したメールのデータ、伝言のデータ、アプリケーションプログラム等を記憶する。また、該記憶部３４は、後述のガイダンス情報をイベントと対応つけて記憶しており、ガイダンス記憶部としても機能している。
【００２８】
キー操作部３６は、電話番号や文字を入力する操作キー３６ａや、選択メニューを選択するための操作キー３６ｂ等よりなっている。キー操作部３６としては、この他、入力用のダイヤル（回転ダイヤル）やタッチパネル等を利用しても良い。
【００２９】
音声コーデック３７は、通信制御部３３により復号化された音声データを受け付けて音声符号化方式の仕様で復号化した後にアナログ変換し、音声信号として音声出力部３８に出力する。また、音声コーデック３７は、音声入力部３９から入力された音声信号をデジタル変換した後に音声符号化方式の仕様で符号化して音声データとして通信制御部３３へ出力する。
【００３０】
音声出力部３８は、スピーカおよびアンプからなり、前記音声信号を音声として出力する。音声入力部３９は、マイクおよびアンプからなり、話者の音声を前記音声信号として入力する。
【００３１】
伝言制御部４０は、通話の通話の呼び出しに対してユーザが応答しなかった場合に「発信音の後にメッセージを録音してください」のように音声で答え、メッセージの入力を促す。そしてメッセージが入力された場合、伝言制御部４０は、このメッセージ（伝言）を記憶部３４に記憶する。
【００３２】
メール制御部４１は、通信制御部３３により復号化されたメールデータを受信して所定の仕様で復号化し、記憶部３４に記憶する。また、メール制御部４１は、キー操作部３６からの入力に基づいてメールデータを生成し、通信制御部３３に出力する。これにより該メールデータを通信制御部が符号化し、無線回路部３２によって送信し、無線基地局を介して通信相手に電子メールを送信する。また、メール制御部４１は、受信したメールデータを記憶部３４から読み出して該メールの内容を表示部４２に表示させる。
【００３３】
表示部４２は、ＬＣＤ（Ｌｉｑｕｉｄ　Ｃｒｙｓｔａｌ　Ｄｉｓｐｌａｙ）やＥＬディスプレイなどからなり、電話番号やメールの内容、待ち受け画像等の表示を行う。
【００３４】
演算処理部４３は、ＣＰＵ（ｃｅｎｔｒａｌ　ｐｒｏｃｅｓｓｉｎｇ　ｕｎｉｔ）やメインメモリ等からなっている。該演算処理部４３は、上記各部からの情報やアプリケーションソフトに基づいて演算処理を行うことにより、イベント検知部、ガイダンス検索部、画像生成部、表示制御部、操作受付部、処理実行部、割当変更部等の機能を実現している。
【００３５】
演算処理部４３は、イベント検知部の機能として、通信制御部３３で復号化したデータを受信し、これによりイベントの発生を検知している。
【００３６】
また、演算処理部４３は、ガイダンス検索部の機能として前記イベントに応じたガイダンス情報を記憶部（ガイダンス記憶部）３４から索出する。
【００３７】
演算処理部４３は、画像生成部の機能として、前記ガイダンス情報に応じた待ち受け画像を生成する。
【００３８】
演算処理部４３は、表示制御部の機能として、前記画像生成部で生成した待ち受け画像を表示部４２に表示させる。
【００３９】
演算処理部４３は、操作受付部の機能として、前記ガイダンスに表示した操作を受け付ける。
【００４０】
演算処理部４３は、処理実行部の機能として、前記操作を受け付けた場合に、前記イベントに応じた処理を実行する。
【００４１】
更に、演算処理部４３は、割当変更部の機能として、前記イベントを受け付けた場合に、操作キーに割り当てられた機能を変更する。
【００４２】
本実施形態では、上述の如く演算処理部４３がソフトウェアに基づいて各部の機能を実行するように構成したが、この機能を実行する電子回路（ハードウェア）で各部を構成しても良い。
【００４３】
§３．携帯電話のガイダンス表示方法
上記携帯電話におけるガイダンス表示方法を図３を用いて説明する。
【００４４】
携帯電話１は、電源がＯＮにされると（ステップ１、以下Ｓ１のように略記する）、キー操作部３６による操作が開始されるまで待機状態となる（Ｓ２）。
【００４５】
携帯電話１は、無線基地局からの電波を受信すると着信状態となり、この電波を無線回路部３２で復調し、通信制御部３３によって復号化する（Ｓ３）。
【００４６】
携帯電話１は、イベント検知部の機能により、通信制御部３３で復号化したデータにイベントが含まれているか否かを判別する（Ｓ４）。
【００４７】
そして、携帯電話１は、イベントが含まれている場合、前記イベント検知部の機能により、イベントの種類を判別する（Ｓ５）〜（Ｓ７）。本例では、先ずメールの受信か否かを判別する（Ｓ５）。ここで、メールの受信でなければ、伝言があるか否かを判別する（Ｓ６）。更に伝言の入力がなければ、通話の呼び出し（着信）の有無を判別し（Ｓ７）、着信でなければステップ２に戻る。
【００４８】
一方、ステップ５にて、メールの受信があると判別された場合、携帯電話１は、ガイダンス検索部の機能により、メールの受信と対応するガイダンス情報を記憶部３４から索出する。そして該ガイダンス情報に基づいて待ち受け画像情報を生成し、表示制御部の機能によって該待ち受け画像を表示部４２に表示させる。即ち図１の如く「メールあり」のガイダンス表示を行う（Ｓ８）。
【００４９】
同様に、ステップ６にて、伝言があると判別された場合、携帯電話１は、図４の如く「伝言あり」のガイダンス表示を行う（Ｓ９）。また、ステップ７にて着信があると判別された場合、携帯電話１は、図５の如く「着信あり」のガイダンス表示を行う（Ｓ１０）。
【００５０】
この後、携帯電話１は待機状態に戻り（Ｓ１１）、ユーザによる操作が開始されるまで、このループ（Ｓ２）〜（Ｓ１１）を繰り返す。
【００５１】
この結果、捜査開始までに複数のイベントが発生した場合には、これに応じた複数のガイダンス表示を行う。例えば、メールを受信した後、伝言も受信した場合、図６の如く「メールあり」と「伝言あり」のガイダンス表示を合わせて行う。
【００５２】
また、このガイダンス表示を行う際、携帯電話１は、イベントに応じた操作をワンタッチで行えるようにキー割り当てを変更している。
【００５３】
例えば、通常時にメールの内容を表示させる場合、メニューキー５１を押して選択メニュー（不図示）を表示させ、マルチキー５２でこのメニューの中からメールを選び、決定キー５３を押す。これに対し、上記「メールあり」のガイダンスを待ち受け画面に表示させる際には、マルチキー５２の上キーを押したときにメールの内容が表示されるようにマルチキー５２の機能の割り当てを変更する。また、伝言の受信や着信についても同様に、マルチキー５２の左キー或は下キーを押したときに対応する処理が実行されるように割り当てを変更する。
【００５４】
そして、このガイダンス表示を確認したユーザが、このガイダンスで示されたキーを押す操作を行った場合、携帯電話１は操作受付部の機能により、これを受け付け（Ｓ１２）、処理実行部の機能により、前記イベントに応じた処理を実行する（Ｓ１３）。
【００５５】
即ち、前記イベントがメールの受信であれば、当該メールを表示部４２に表示させ、伝言の受信であれば伝言を再生し、着信であれば着信履歴を表示させる。
【００５６】
この処理が終了した場合、携帯電話１は、待ち受け状態に戻る（Ｓ１４）。
【００５７】
このように、本実施形態の携帯電話１は、イベントに応じて次に操作するキーを図示するガイダンス表示を行う。これにより、誰にでも分かり易く、直感的に操作できるようにし、操作性を向上させている。
【００５８】
また、本実施形態では、ガイダンス表示時にキー割り当てを変更しており、通常複数のキーを操作して実行させる機能であってもワンタッチで当該機能を実行させることができる。
【００５９】
〈変形例〉
上記実施形態では、ガイダンス情報として記憶された画像をそのまま用いて待ち受け画像を生成する例を示したが、これに限らず、ガイダンス情報として操作キーの画像と文字情報とを別々に記憶しておき、これを組み合わせて待ち受け画像を生成しても良い。
【００６０】
例えば図７に示すように、キー画像ａと、文字情報ｂと、位置情報ｃとをそれぞれ、イベントと対応付けて別のフィールドに記憶しておく。
【００６１】
携帯電話１は、ステップ８〜１０において、ガイダンス検索部の機能により、イベントと対応するキー画像ａ、文字情報ｂ、位置情報ｃを索出し、そして画像生成部の機能により該ガイダンス情報に基づいて待ち受け画像情報を生成する。
【００６２】
このときイベントがメール受信であれば、図７（ａ）に示すマルチキーの画像を位置情報（上キー）に基づき、図７（ｂ）の如く操作対象部分の色調を変更し、この位置に文字情報（メールあり）を合成する（図７（ｃ））。そしてこのガイダンスを含んだ待ち受け画像を生成する（図７（ｄ））。
【００６３】
本例によれば、キー画像を複数のイベントに対応させることができ、ガイダンス記憶部の記憶容量を抑えることができる。
【００６４】
また、本例によれば、キー画像に複数のキーを示し、操作対象のキーを色調の違いによって示したことにより、操作対象のキーと共に、その周囲のキーとの位置関係を示すことができ、当該キーの位置の把握を容易とし、操作性を向上させることができる。
【００６５】
《その他の実施形態》
本発明は、上述の図示例にのみ限定されるものではなく、本発明の要旨を逸脱しない範囲内において種々変更を加え得ることは勿論である。
【００６６】
例えば、以下に付記した構成であっても前述の実施形態と同様の効果を得ることができる。
【００６７】
（付記１）
イベントの発生を検知するイベント検知部と、
前記イベントと対応付けてガイダンス情報を記憶したガイダンス記憶部と、
前記イベントに応じたガイダンス情報をガイダンス記憶部から索出するガイダンス検索部と、
前記ガイダンス情報に応じた待ち受け画像を生成する画像生成部と、
前記待ち受け画像を表示する表示制御部と、
を備える情報処理端末。
（付記２）
前記ガイダンスに表示した操作を受け付ける操作受付部と、
前記操作を受け付けた場合に、前記イベントに応じた処理を実行する処理実行部と、
を更に備える付記１に記載の情報処理端末。
（付記３）
前記ガイダンスを表示する場合に、操作キーに割り当てられた機能を変更する割当変更部を備え、
前記ガイダンス検索部が、前記機能を変更した後の操作キーの操作を示すガイダンス情報を索出する付記１に記載の情報処理端末。
（付記４）
前記ガイダンス情報が、前記イベントに応じて操作する操作キーの画像を含む付記１に記載の情報処理端末。
（付記５）
イベントの発生を検知するステップと、
前記イベントに応じたガイダンス情報をガイダンス記憶部から索出するステップと、
前記ガイダンス情報に応じた待ち受け画像を生成するステップと、
前記待ち受け画像を表示するステップと、
待ち受け画像中にガイダンスを表示させることをコンピュータに実行可能なガイダンス表示プログラム。
（付記６）
前記ガイダンスに表示した操作を受け付けるステップと、
前記操作を受け付けた場合に、前記イベントに応じた処理を実行するステップと、
をコンピュータにより実行可能な付記５に記載のガイダンス表示プログラム。
（付記７）
前記ガイダンスを表示する場合に、操作キーに割り当てられた機能を変更するステップを更に有し、
前記ガイダンス情報を索出するステップでは、前記機能を変更した後の操作キーの操作を示すガイダンス情報を索出することをコンピュータにより実行可能な付記５に記載のガイダンス表示プログラム。
（付記８）
前記ガイダンス情報が、前記イベントに応じて操作する操作キーの画像を含む付記５に記載のコンピュータにより実行可能なガイダンス表示プログラム。
（付記９）
情報処理端末が、
イベントの発生を検知するステップと、
前記イベントに応じたガイダンス情報をガイダンス記憶部から索出するステップと、
前記ガイダンス情報に応じた待ち受け画像を生成するステップと、
前記待ち受け画像を表示するステップと、を実行し、
待ち受け画像中にガイダンスを表示させる情報処理端末のガイダンス表示方法。
【００６８】
（付記１０）
前記ガイダンスに表示した操作を受け付けるステップと、
前記操作を受け付けた場合に、前記イベントに応じた処理を実行するステップと、
を更に有する付記９に記載の情報処理端末のガイダンス表示方法。
【００６９】
（付記１１）
前記ガイダンスを表示する場合に、操作キーに割り当てられた機能を変更するステップを更に有し、
前記ガイダンス情報を索出するステップでは、前記機能を変更した後の操作キーの操作を示すガイダンス情報を索出する付記９に記載の情報処理端末のガイダンス表示方法。
【００７０】
（付記１２）
前記ガイダンス情報が、前記イベントに応じて操作する操作キーの画像を含む付記９に記載の情報処理端末のガイダンス表示方法。
【００７１】
〈コンピュータが読み取り可能な記録媒体〉
本発明は、上記のプログラムをコンピュータが読み取り可能に記録した記録媒体であっても良い。そして、コンピュータに、この記録媒体のプログラムを読み込ませて実行させることにより、その機能を提供させることができる。
【００７２】
ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
【００７３】
また、コンピュータに固定された記録媒体としてハードディスクやＲＯＭ（リードオンリーメモリ）等がある。
【００７４】
〈情報処理端末〉
上記の実施形態では、本発明を携帯電話に適用した例を示したが、本発明はこれに限らず、携帯電話機、ＰＨＳ（ｐｅｒｓｏｎａｌ　ｈａｎｄｙ　ｐｈｏｎｅ　ｓｙｓｔｅｍ）、ＰＤＡ（ｐｅｒｓｏｎａｌ　ｄｉｇｉｔａｌ　ａｓｓｉｓｔａｎｔ）、ＰＣ（Ｐｅｒｓｏｎａｌ　Ｃｏｍｐｕｔｅｒ）等、待ち受け画像の表示が可能な情報処理端末に広く適用できる。
【００７５】
本発明において、以上の構成要素は可能な限り組み合わせることができる。
【００７６】
【発明の効果】
以上説明したように、本発明によれば、イベントに応じて情報処理端末を操作する際の操作性を向上させることができる。
【図面の簡単な説明】
【図１】本発明に係る携帯電話（情報処理端末）の説明図
【図２】本発明に係る携帯電話のブロック図
【図３】ガイダンス表示方法の説明図
【図４】携帯電話のガイダンス表示の例を示す図
【図５】携帯電話のガイダンス表示の例を示す図
【図６】携帯電話のガイダンス表示の例を示す図
【図７】変形例におけるガイダンス情報のデータ構造を示す図
【図８】待ち受け画像を生成する際の説明図
【符号の説明】
１　　　　　携帯電話
３１　　　アンテナ
３２　　　無線回路部
３３　　　通信制御部
３４　　　記憶部
３６　　　キー操作部
３７　　　音声コーデック
３８　　　音声出力部
３９　　　音声入力部
４０　　　伝言制御部
４１　　　メール制御部
４２　　　表示部
４３　　　演算処理部
５１　　　メニューキー
５２　　　マルチキー
５３　　　決定キー
【図１】
2004064526.tif 000003
【図２】
2004064526.tif 000004
【図３】
2004064526.tif 000005
【図４】
2004064526.tif 000006
【図５】
2004064526.tif 000007
【図６】
2004064526.tif 000008
【図７】
2004064526.tif 000009
【図８】
2004064526.tif 000010